(57)【特許請求の範囲】
【請求項１】
外周面に孔版原紙が巻き付けられる印刷ドラムを回転自在に支持し装置本体に対して着脱自在な印刷ドラムユニットを有し、装置本体には電気接続用の第１のコネクタが設けられているとともに上記印刷ドラムユニットには該第１のコネクタに接続される第２のコネクタが設けられ、上記印刷ドラムユニットを装置本体に挿入して上記第１のコネクタと第２のコネクタを接続する孔版印刷装置において、
上記２つのコネクタ同士の着脱方向が装置上下方向であり、該コネクタ同士の着脱方向と上記印刷ドラムユニットの着脱方向とが略直交するように設けられ、該第１のコネクタと第２のコネクタのうち少なくとも一方が移動させられて接続がなされることを特徴とする孔版印刷装置。
【請求項２】
請求項１記載の孔版印刷装置において、
上記印刷ドラムユニットを装置本体の所定位置に挿入した後該印刷ドラムユニットを装置本体に固定するユニット固定手段を有し、該ユニット固定手段による固定操作に連動して上記第１のコネクタと第２のコネクタのうち少なくとも一方が移動することを特徴とする孔版印刷装置。
【請求項３】
請求項２記載の孔版印刷装置において、
上記ユニット固定手段が、相手方の係止部に係合する係合フック部を備えた回動自在な固定用レバーを有し、該係合フック部の凹部は、上記第１のコネクタと第２のコネクタが完全に離間した状態になるまで上記印刷ドラムユニットの装置本体からの抜き出しを禁止する長さに設定されていることを特徴とする孔版印刷装置。
【請求項４】
請求項２又は３記載の孔版印刷装置において、
上記第１のコネクタと第２のコネクタのうち少なくとも一方が、リンク機構を介して上記ユニット固定手段による固定操作に連動して移動することを特徴とする孔版印刷装置。
【請求項５】
請求項１記載の孔版印刷装置において、
上記印刷ドラムユニットを装置本体の所定位置に挿入したとき該印刷ドラムユニットを装置本体に固定するユニット固定手段を有し、上記第１のコネクタと第２のコネクタが接続状態にあるときは該ユニット固定手段の固定解除操作ができないようになっていることを特徴とする孔版印刷装置。
【請求項６】
請求項１記載の孔版印刷装置において、
上記印刷ドラムユニットを装置本体の所定位置に挿入したとき該印刷ドラムユニットを装置本体に固定するユニット固定手段と、上記第１のコネクタと第２のコネクタのうち少なくとも一方を移動させるコネクタ接続手段を有していることを特徴とする孔版印刷装置。
【請求項７】
請求項６記載の孔版印刷装置において、
上記第１のコネクタと第２のコネクタが接続された状態で上記コネクタ接続手段の動きを制限するストッパが設けられていることを特徴とする孔版印刷装置。
【請求項８】
請求項７記載の孔版印刷装置において、
上記第１のコネクタと第２のコネクタとが離れる方向に常時付勢する付勢手段を有していることを特徴とする孔版印刷装置。
【請求項９】
請求項１記載の孔版印刷装置において、
上記印刷ドラムユニットを装置本体の所定位置に挿入したとき該印刷ドラムユニットを装置本体に固定するユニット固定手段と、上記第１のコネクタと第２のコネクタのうちいずれか一方を移動させるコネクタ接続手段を有し、上記第１のコネクタと第２のコネクタのうちの他方は上記ユニット固定手段による固定操作に連動して上記印刷ドラムユニットの着脱方向に移動可能に設けられていることを特徴とする孔版印刷装置。
【請求項１０】
請求項６乃至９のうちの一つに記載の孔版印刷装置において、
上記第１のコネクタと第２のコネクタが接続状態にあるときは該ユニット固定手段の固定解除操作ができないようになっていることを特徴とする孔版印刷装置。
【請求項１１】
請求項１乃至１０のうちの一つに記載の孔版印刷装置において、
上記第１のコネクタと第２のコネクタが、それぞれの接続面が上記印刷ドラムユニットの着脱方向に対して略垂直方向で対向するように設けられていることを特徴とする孔版印刷装置。
【請求項１２】
外周面に孔版原紙が巻き付けられる印刷ドラムを回転自在に支持し孔版印刷装置本体に対して着脱自在な印刷ドラムユニットであって、
孔版印刷装置本体に設けられた電気接続用の第１のコネクタに接続される第２のコネクタを有し、上記第２のコネクタはその接続面が着脱方向に対して装置上下方向である略直角方向で上記第１のコネクタの接続面と対向するように設けられ、該第１のコネクタと第２のコネクタのうち少なくとも一方が移動させられて接続がなされることを特徴とする印刷ドラムユニット。
【請求項１３】
請求項１２記載の印刷ドラムユニットにおいて、
上記第２のコネクタはその接続面が着脱方向に対して略垂直方向で上記第１のコネクタの接続面と対向するように設けられていることを特徴とする印刷ドラムユニット。
【請求項１４】
外周面に孔版原紙が巻き付けられる印刷ドラムを回転自在に支持した印刷ドラムユニットを、孔版印刷装置本体の所定位置に挿入した後固定するとともに孔版印刷装置本体に設けられた電気接続用の第１のコネクタと印刷ドラムユニットに設けられた第２のコネクタを接続する印刷ドラムユニットの装着方法において、
上記第１のコネクタと第２のコネクタを、それぞれの接続面が上記印刷ドラムユニットの着脱方向に対して装置上下方向である略直角方向で対向するように設け、該印刷ドラムユニットを孔版印刷装置本体の所定位置に挿入した後、該第１のコネクタと第２のコネクタのうち少なくとも一方を移動させて接続することを特徴とする印刷ドラムユニットの装着方法。
【請求項１５】
請求項１４記載の印刷ドラムユニットの装着方法において、
上記第１のコネクタと第２のコネクタを、それぞれの接続面が上記印刷ドラムユニットの着脱方向に対して略垂直方向で対向するように設けることを特徴とする印刷ドラムユニットの装着方法。
【発明の詳細な説明】
【０００１】
【発明の属する技術分野】
本発明は、印刷ドラムの外周面に孔版原紙（以下、マスタという）を巻装して印刷を行う孔版印刷装置、該孔版印刷装置に対して着脱自在な印刷ドラムユニット及び印刷ドラムユニットの装着方法に関する。
【０００２】
【従来の技術】
従来より、回転自在に設けられた印刷ドラムの外周面に原稿の画像情報に基づいてサーマルヘッド等により穿孔製版されたマスタを巻装し、プレスローラ等の押圧部材で印刷用紙を印刷ドラムに押圧することによって印刷ドラムの内部から供給されるインキを滲み出させて印刷用紙上に転移させ、印刷するデジタル式感熱孔版印刷装置が知られている。
印刷ドラムは、多孔性の支持円筒体に樹脂あるいは金属網体のメッシュスクリーンを１層または複数層巻装した構成を有している。マスタは、熱可塑性樹脂フィルムに和紙繊維又は合成繊維あるいは和紙繊維と合成繊維とを混抄したものからなる多孔性支持体を貼り合わせたラミネート構造を有している。
印刷ドラムの内部には、インキポンプやインキセンサー等を有するインキ供給手段が設けられており、印刷ドラムの内面に適量のインキを供給するようになっている。押圧部材による押圧力によって、インキは印刷ドラムの開孔部を通ってマスタの穿孔部から滲み出し、印刷用紙上に転移する。
【０００３】
この種の孔版印刷装置では、例えば特開昭５７ー９８３６１号公報に記載されているように、原稿画像の多様化により多色での印刷画像が要求され、これに対応するために色替え作業を容易に行うべく、印刷ドラムを装置本体に対して着脱自在とした構成が主流となっている。印刷ドラムの着脱構成は、印刷用紙のジャム処理の容易化ももたらす。
実際には、印刷ドラムのみを着脱する構成ではなく、印刷ドラムと該印刷ドラムを回転可能に支持するフレーム等を一体に備えた印刷ドラムユニットを着脱自在とする構成となってる。
ところで、上述したように、印刷ドラムの内部にはインキ供給手段が設けられているので、印刷ドラムユニットの交換時においてインキポンプやインキセンサー等の駆動力を断接可能とする必要がある。
【０００４】
特公昭６２−２８７５７号公報には、装置本体に電気接続用の第１のコネクタを設けるとともに印刷ドラムユニットに該第１のコネクタに接続される第２のコネクタを設け、印刷ドラムユニットのドラム軸方向の移動により印刷ドラムユニットの装着時には各コネクタが接続され、印刷ドラムユニットの抜き出し時には各コネクタの接続が絶たれる構成が記載さている。
すなわち、オペレータが電気コネクタの着脱操作を行うことを要することなく、印刷ドラムユニットの着脱操作に伴って自動的に電気コネクタの着脱操作がなされるようになっている。
第１のコネクタと第２のコネクタは、それぞれその接続面（開口面）が印刷ドラムユニットの着脱方向において対向するように設けられている。すなわち、各コネクタは装置本体と印刷ドラムユニットにそれぞれ片持ち状態に支持され、印刷ドラムユニットの着脱方向に沿って延びるように設けられている。
【０００５】
しかしながら、上記特公昭６２−２８７５７号公報に開示された技術では、重量物である印刷ドラムユニットの装着動作に伴って電気コネクタが自動的に接続されるため、装置本体に対する印刷ドラムユニットの装着位置が微妙にずれた場合等に各コネクタの接続が噛み合わない場合がある。このような場合に、無理に印刷ドラムユニットを装着すると、コネクタを破損してしまう虞がある。
また、色替え時以外にも、ジャム発生時等には印刷ドラムユニットを着脱するが、このような場合には印刷作業を中断されたオペレータはジャム紙の除去作業を急ぐため、着脱操作が非常に荒くなる傾向にある。そのため、荒く行われる印刷ドラムユニットの着脱操作によりコネクタに衝撃等の負荷が加わり、コネクタの破損や接続不良を引き起こしてしまうという問題点があった。
【０００６】
この問題に対処すべく、特開平９−２６３０３４号公報、特開平１１−１９８５１１号公報、特開平１１−３２１０６１号公報には、印刷ドラムユニットを装置本体に固定する手段と、電気コネクタを接続する手段を別個に設けるとともに、固定手段の動作に連動させて電気コネクタを接続する手段を動作させる技術が提案されている。第１のコネクタと第２のコネクタの取り付け方式は、いずれも上記特公昭６２−２８７５７号公報に開示された技術と同様となっている。
これらの構成によれば、印刷ドラムユニットの重量が直接電気コネクタの接続に作用しないので、上記問題を解消することができる。
【０００７】
【発明が解決しようとする課題】
しかしながら、上記各従来技術では、各コネクタは装置本体と印刷ドラムユニットにそれぞれ片持ち状態に支持されて印刷ドラムユニットの着脱方向に沿って延びるように設けられているため、特に、操作側に接続面が開口している装置本体側の第１のコネクタには、使用者が印刷装置を設置する環境によっては、ゴミや異物が入り込んで溜まり易くなることが生ずる可能性が否定できず、経時的に接続不良を来すという問題があった。
また、各コネクタは片持ち状態に支持されているため、コネクタ自身の重量による垂直方向下方への傾きを生じ易い。このため、着脱操作の度に同じ場所が接触することによる局所的摩耗が生じ易く、経時的に接触不良などを起こすことがあった。
【０００８】
そこで、本発明は、コネクタのゴミや異物の侵入による接触不良や局所的摩耗による接触不良を防止でき、印刷ドラムユニットの着脱操作の頻度に拘らず電気的接続の信頼性を長期に亘って維持できる孔版印刷装置、印刷ドラムユニット及び印刷ドラムユニットの装着方法の提供を、その主な目的とする。
【０００９】
【課題を解決するための手段】
上記目的を達成するために、請求項１記載の発明では、外周面に孔版原紙が巻き付けられる印刷ドラムを回転自在に支持し装置本体に対して着脱自在な印刷ドラムユニットを有し、装置本体には電気接続用の第１のコネクタが設けられているとともに上記印刷ドラムユニットには該第１のコネクタに接続される第２のコネクタが設けられ、上記印刷ドラムユニットを装置本体に挿入して上記第１のコネクタと第２のコネクタを接続する孔版印刷装置において、上記２つのコネクタ同士の着脱方向が装置上下方向であり、該コネクタ同士の着脱方向と上記印刷ドラムユニットの着脱方向とが略直交するように設けられ、該第１のコネクタと第２のコネクタのうち少なくとも一方が移動させられて接続がなされる、という構成を採っている。
【００１０】
請求項２記載の発明では、請求項１記載の孔版印刷装置において、上記印刷ドラムユニットを装置本体の所定位置に挿入した後該印刷ドラムユニットを装置本体に固定するユニット固定手段を有し、該ユニット固定手段による固定操作に連動して上記第１のコネクタと第２のコネクタのうち少なくとも一方が移動する、という構成を採っている。
【００１１】
請求項３記載の発明では、請求項２記載の孔版印刷装置において、上記ユニット固定手段が、相手方の係止部に係合する係合フック部を備えた回動自在な固定用レバーを有し、該係合フック部の凹部は、上記第１のコネクタと第２のコネクタが完全に離間した状態になるまで上記印刷ドラムユニットの装置本体からの抜き出しを禁止する長さに設定されている、という構成を採っている。
【００１２】
請求項４記載の発明では、請求項２又は３記載の孔版印刷装置において、上記第１のコネクタと第２のコネクタのうち少なくとも一方が、リンク機構を介して上記ユニット固定手段による固定操作に連動して移動する、という構成を採っている。
【００１３】
請求項５記載の発明では、載の孔版印刷装置において、上記印刷ドラムユニットを装置本体の所定位置に挿入したとき該印刷ドラムユニットを装置本体に固定するユニット固定手段を有し、上記第１のコネクタと第２のコネクタが接続状態にあるときは該ユニット固定手段の固定解除操作ができないようになっている、という構成を採っている。
【００１４】
請求項６記載の発明では、請求項１記載の孔版印刷装置において、上記印刷ドラムユニットを装置本体の所定位置に挿入したとき該印刷ドラムユニットを装置本体に固定するユニット固定手段と、上記第１のコネクタと第２のコネクタのうち少なくとも一方を移動させるコネクタ接続手段を有している、という構成を採っている。
【００１５】
請求項７記載の発明では、請求項６記載の孔版印刷装置において、上記第１のコネクタと第２のコネクタが接続された状態で上記コネクタ接続手段の動きを制限するストッパが設けられている、という構成を採っている。
【００１６】
請求項８記載の発明では、請求項７記載の孔版印刷装置において、上記第１のコネクタと第２のコネクタとが離れる方向に常時付勢する付勢手段を有している、という構成を採っている。
【００１７】
請求項９記載の発明では、請求項１記載の孔版印刷装置において、上記印刷ドラムユニットを装置本体の所定位置に挿入したとき該印刷ドラムユニットを装置本体に固定するユニット固定手段と、上記第１のコネクタと第２のコネクタのうちいずれか一方を移動させるコネクタ接続手段を有し、上記第１のコネクタと第２のコネクタのうちの他方は上記ユニット固定手段による固定操作に連動して上記印刷ドラムユニットの着脱方向に移動可能に設けられている、という構成を採っている。
【００１８】
請求項１０記載の発明では、請求項６乃至９のうちの一つに記載の孔版印刷装置において、上記第１のコネクタと第２のコネクタが接続状態にあるときは該ユニット固定手段の固定解除操作ができないようになっている、という構成を採っている。
【００１９】
請求項１１記載の発明では、請求項１乃至１０のうちの一つに記載の孔版印刷装置において、上記第１のコネクタと第２のコネクタが、それぞれの接続面が上記印刷ドラムユニットの着脱方向に対して略垂直方向で対向するように設けられている、という構成を採っている。
【００２０】
請求項１２記載の発明では、外周面に孔版原紙が巻き付けられる印刷ドラムを回転自在に支持し孔版印刷装置本体に対して着脱自在な印刷ドラムユニットであって、孔版印刷装置本体に設けられた電気接続用の第１のコネクタに接続される第２のコネクタを有し、上記第２のコネクタはその接続面が着脱方向に対して装置上下方向である略直角方向で上記第１のコネクタの接続面と対向するように設けられ、該第１のコネクタと第２のコネクタのうち少なくとも一方が移動させられて接続がなされる、という構成を採っている。
【００２１】
請求項１３記載の発明では、請求項１２記載の印刷ドラムユニットにおいて、上記第２のコネクタはその接続面が着脱方向に対して略垂直方向で上記第１のコネクタの接続面と対向するように設けられている、という構成を採っている。
【００２２】
請求項１４記載の発明では、外周面に孔版原紙が巻き付けられる印刷ドラムを回転自在に支持した印刷ドラムユニットを、孔版印刷装置本体の所定位置に挿入した後固定するとともに孔版印刷装置本体に設けられた電気接続用の第１のコネクタと印刷ドラムユニットに設けられた第２のコネクタを接続する印刷ドラムユニットの装着方法において、上記第１のコネクタと第２のコネクタを、それぞれの接続面が上記印刷ドラムユニットの着脱方向に対して装置上下方向である略直角方向で対向するように設け、該印刷ドラムユニットを孔版印刷装置本体の所定位置に挿入した後、該第１のコネクタと第２のコネクタのうち少なくとも一方を移動させて接続する、という手順を採っている。
【００２３】
請求項１５記載の発明では、請求項１４記載の印刷ドラムユニットの装着方法において、上記第１のコネクタと第２のコネクタを、それぞれの接続面が上記印刷ドラムユニットの着脱方向に対して略垂直方向で対向するように設ける、という構成を採っている。
【００２４】
【発明の実施の形態】
以下、図に基づいて本発明の実施形態を説明する。
まず、図６に基づいて、本実施形態における孔版印刷装置の構成の概要を説明する。孔版印刷装置１００は、装置本体１と、専用台１０２を有している。孔版印刷装置本体１は、昇降可能な給紙台１０３と、レジストローラ対１０４、印刷ドラムユニット５、プレスローラ１０５、吸引ファンを有する吸着搬送手段１０６、排紙台１０７等を有しており、印刷ドラムユニット５には印刷ドラム７が回転自在に支持されている。
【００２５】
図示しないが、原稿の画像情報に基づいてサーマルヘッド等により穿孔製版されたマスタが印刷ドラム７の外周面に巻装される。給紙台１０３に積層収容された印刷用紙は最上のものから順に１枚ずつ分離され、印刷ドラム７の画像先端と給紙方向の所定位置とが一致するタイミングでレジストローラ対１０４により給紙される。
プレスローラ１０５は、印刷用紙の給紙タイミングに合わせて印刷ドラム７に近づき、印刷用紙を印刷ドラム７に押圧する。印刷ドラム７の内部にはインキ供給手段が設けられており、該インキ供給手段から印刷ドラム７の内面に供給されたインキが上記プレスローラ１０５の押圧によりマスタの穿孔部から滲み出て印刷用紙に転移し、印刷がなされる。インキ画像を形成された印刷用紙は、印刷ドラム７から分離されて吸着搬送手段１０６により搬送され、排紙台１０７に排出・スタックされる。
【００２６】
図１乃至図３に示すように、印刷ドラムユニット５は、レール体９と、該レール体９に一体に固定された前フレーム８及び後フレーム１０（図３では省略）を有しており、印刷ドラム７は回転軸１０８を介して前フレーム８と後フレーム１０間に回転自在に支持されている。回転軸１０８の後部には、図示しない駆動源からの回転駆動力が入力される駆動ギヤ１０９が固定されている。
装置本体１には、前側板１１０と、後側板１１１と、これらの間に固定された案内レール１１が設けられており、案内レール１１にレール体９を嵌合して押し込むことにより印刷ドラムユニット５を装置本体１に装着するようになっている。レール体９の装着方向先端部両側には案内レール１１を走行するコロ１１２が設けられており、印刷ドラムユニット５を少ない操作力で円滑に着脱できるようになっている。
【００２７】
前フレーム８には、印刷ドラムユニット５の着脱方向に略直交するように側壁８ｃ，８ｄが形成されており、各側壁８ｃ，８ｄと前フレーム８本体部８ｂとの間には位置決め部８ａがくり抜き状態に形成されている。
側壁８ｃ，８ｄの内側には、軸１３を介して固定用レバー１２が回動自在に支持されている。固定用レバー１２は、操作部１２ｂと、係合フック部１２ａを有している。
各側壁８ｃ，８ｄの外側には、装置本体１の前側板１１０に固定された略Ｌ字形のブラケット４が設けられており、各ブラケット４には印刷ドラム７の径方向内方へ突出するように、係止ピン２が固定されている。印刷ドラムユニット５の装着において、係止ピン２が側壁８ｃ，８ｄの位置決め部８ａに係合することにより、装置本体１に対する印刷ドラムユニット５の上下方向の位置が決められ、係止ピン２が位置決め部８ａの装着方向後端に当接することにより所定の挿入位置が決められる。
【００２８】
所定の挿入位置が決められた状態で、固定用レバー１２を回動すると、係合フック部１２ａの凹部１２ｃが係止ピン２に係合し、装置本体１に対する印刷ドラムユニット５の固定がなされる。固定用レバー１２、軸１３、係止ピン２、ブラケット４等により印刷ドラムユニット５を装置本体１に固定するユニット固定手段が構成される（請求項２）。
また、装置本体１の前側板１１０には、コネクタブラケット１１３が固定されており、該コネクタブラケット１１３には装置本体１の図示しない制御基板に接続された電気接続用の第１のコネクタ３がその接続面を下にして取り付けられている。
【００２９】
固定用レバー１２の一方の係合フック部１２ａには支持軸１６が設けられており、該支持軸１６は、該係合フック部１２ａ側の側壁８ｃに上下方向に延びるように形成された円弧状の長穴８ｅから突出している。
側壁８ｃの外側には、固定用レバー１２と同期して印刷ドラムユニット５の着脱方向に対して略垂直方向に移動可能に略Ｌ字形のコネクタブラケット１４が設けられている。コネクタブラケット１４には第１のコネクタ３に接続される第２のコネクタ１５がその接続面を上にして取り付けられている。すなわち、第１のコネクタ３と第２のコネクタ１５は、それぞれの接続面が印刷ドラムユニット５の着脱方向に対して略垂直方向で対向するように設けられている（請求項１，１１，１２，１３，１４，１５）。第２のコネクタ１５は、印刷ドラム７の図示しないインキ供給手段の電気駆動系に接続されている。
【００３０】
コネクタブラケット１４には着脱方向に延びる長穴１４ａが形成されており、該長穴１４ａに支持軸１６が係合している。長穴１４ａによって係合フック部１２ａの回動に伴う支持軸１６の変位が吸収される。
コネクタブラケット１４の装着方向手前側には印刷ドラム７の径方向外方に突出する突片１４ｂが形成されており、該突片１４ｂが側壁８ｃの外面に固定されるガイド部材１８の凹部１８ａで案内されることによりコネクタブラケット１４は直線的に上下移動する。
【００３１】
図１及び図２は、印刷ドラムユニット５を装置本体１の所定位置に挿入した状態を示しており、かかる状態で固定用レバー１２を回動させる。固定用レバー１２を回動させると、図４及び図５に示すように、係合フック部１２ａの凹部１２ｃが係止ピン２に係合し、装置本体１に対する印刷ドラムユニット５の固定がなされる。この固定動作と同時に、コネクタブラケット１４が上方に移動し、第１のコネクタ３と第２のコネクタ１５の接続がなされる。
【００３２】
印刷ドラムユニット５を交換する場合には、固定用レバー１２を逆方向に回動し、装置本体１に対する固定を解除する。この解除操作によりコネクタブラケット１４は下方へ移動するので、第１のコネクタ３と第２のコネクタ１５の接続も同時に解除される。
第１のコネクタ３と第２のコネクタ１５の破損を防止するため、係合フック部１２ａの凹部１２ｃは、第１のコネクタ３と第２のコネクタ１５が完全に離間した状態になるまで印刷ドラムユニット５の装置本体１からの抜き出しを禁止する長さに設定されている（請求項３）。
【００３３】
次に、図７乃至図１１に基づいて他の実施形態を説明する。なお、上記実施形態と同一部分は同一符号で示し、特に必要がない限り既にした構成上及び機能上の説明は省略する（その他の各実施形態において同じ）。
本実施形態は、上記実施形態の変形例であり、リンクを用いて固定用レバー１２の回動操作量を少なくしたことを特徴とする（請求項４）。側壁８ｃ，８ｄの内側には、軸２３を介して固定用レバー１２が回動自在に支持されている。本実施形態における固定用レバー１２は、係合フック部１２ｄを有しており、係合フック部１２ｄの凹部１２ｅは上記実施形態における凹部１２ｃよりも、リンクによる回動量が少ない分短い長さに設定されている。
【００３４】
固定用レバー１２の側壁８ｃ側の係合フック部１２ｄには支持軸２５が固定されており、支持軸２５は側壁８ｃに形成された円弧状の長穴８ｆから突出している。長穴８ｆから突出した支持軸２５にはリンク２６の一端部が穴２６ａを介して回動自在に支持されている。リンク２６にはその長手方向に延びる長穴２６ｂが形成されており、長穴２６ｂは側壁８ｃの外面に固定された印刷ドラム７の径方向外方に突出するガイド軸２７に係合している。リンク２６の他端部には印刷ドラム７の径方向外方に突出する連結ピン２９が固定されている。
側壁８ｃの外面にはリンク２６を覆うように補助側壁２８が固定されている。
補助側壁２８には上下方向に延びるガイド溝３０と、上下方向に延びる円弧状の長穴２８ａが形成されており、長穴２８ａには連結ピン２９が係合している。
【００３５】
補助側壁２８の外面には第２のコネクタ１５が取り付けられた略Ｌ字形のコネクタブラケット２０が設けられている。コネクタブラケット２０には着脱方向に延びる長穴２０ａが形成されており、該長穴２０ａには連結ピン２９が係合している。コネクタブラケット２０の裏面には、ガイド溝３０に係合するガイド部材３１が固定されており、上下方向に直線的に移動できるようになっている。
ガイド部材３１は、ガイド溝３０を摺動するガイド部３１ａと、ガイド溝３０より幅広の抜け止め部３１ｂを有している。
【００３６】
図７及び図８は、印刷ドラムユニット５を装置本体１の所定位置に挿入した状態を示しており、かかる状態で固定用レバー１２を回動させる。固定用レバー１２を回動させると、図１０及び図１１に示すように、係合フック部１２ｄの凹部１２ｅが係止ピン２に係合し、装置本体１に対する印刷ドラムユニット５の固定がなされる。この場合、リンク２６の変位拡大機能によって固定用レバー１２の回動量は少なくて済む。この固定動作と同時に、コネクタブラケット２０が上方に移動し、第１のコネクタ３と第２のコネクタ１５の接続がなされる。
【００３７】
印刷ドラムユニット５を交換する場合には、固定用レバー１２を逆方向に回動し、装置本体１に対する固定を解除する。この解除操作によりコネクタブラケット２０は下方へ移動するので、第１のコネクタ３と第２のコネクタ１５の接続も同時に解除される。
第１のコネクタ３と第２のコネクタ１５の破損を防止するため、係合フック部１２ｄの凹部１２ｅは、第１のコネクタ３と第２のコネクタ１５が完全に離間した状態になるまで印刷ドラムユニット５の装置本体１からの抜き出しを禁止する長さに設定されている。
本実施形態では上記実施形態に比べて部品点数が多くなりコスト高で有るが、印刷ドラムユニット５の着脱における固定用レバー１２の回動操作量が少なくて済み、作業負担が軽減される。
【００３８】
次に、図１２乃至図１６に基づいて他の実施形態を説明する。
上記各実施形態では、固定用レバー１２の固定操作に連動して第１のコネクタ３と第２のコネクタ１５が接続される構成であったが、本実施形態では固定用レバー１２による固定操作とは独立して第１のコネクタ３と第２のコネクタ１５の接続がなされることを特徴としている。
側壁８ｃの外面には印刷ドラム７の径方向外方へ突出する支持軸４６が設けられており、該支持軸４６にはコネクタ接続手段としてのコネクタレバー４３が抜け止めされた状態で穴４３ａを介して回動自在に支持されている（請求項６）。また、コネクタレバー４３には、着脱方向へ延びる長穴４３ｂが形成されている。
【００３９】
第２のコネクタ１５が取り付けられたコネクタブラケット４７には、印刷ドラム７の径方向外方へ突出する連結ピン４９が固定されており、該連結ピン４９はコネクタレバー４３の長穴４３ｂに係合している。
コネクタブラケット４７は図示しない付勢手段により下向きに、すなわち、第１のコネクタ３と第２のコネクタ１５を常時分離するように付勢されている（請求項８）。
側壁８ｃの外面には、印刷ドラム７の径方向外方へ突出するストッパとしての曲げ部８ｇが形成されており（請求項７）、第１のコネクタ３と第２のコネクタ１５が接続された状態で曲げ部８ｇの下端にコネクタレバー４３が係止される。固定用レバー１２の係合フック部１２ｄには、ガイド部材３１の上端が当接する凹部１２ｆが形成されている。
【００４０】
図１２及び図１３は、印刷ドラムユニット５を装置本体１の所定位置に挿入した状態を示しており、かかる状態で固定用レバー１２を回動させる。その後、コネクタレバー４３を回動する。固定用レバー１２を回動させると、図１５及び図１６に示すように、係合フック部１２ｄの凹部１２ｅが係止ピン２に係合し、装置本体１に対する印刷ドラムユニット５の固定がなされる。
また、コネクタレバー４３を回動させると、コネクタブラケット４７が上方に移動し、第１のコネクタ３と第２のコネクタ１５の接続がなされる。コネクタレバー４３は付勢手段の付勢力を受けた状態で曲げ部８ｇの下端に係止される。
印刷ドラムユニット５を装置本体１から抜き出す場合には、まず、コネクタレバー４３を操作して第１のコネクタ３と第２のコネクタ１５を分離し、その後固定用レバー１２を上方に回動する。
図１５に示すように、係合フック部１２ｄの凹部１２ｆにコネクタブラケット４７に固定されたガイド部材３１の上端が当接しているので、そのままの状態では固定用レバー１２を上方に回動することはできない。コネクタレバー４３は曲げ部８ｇの下端に係止されており、コネクタブラケット４７は下方へ移動できないからである（請求項５）。
【００４１】
次に、図１７乃至図２１に基づいて他の実施形態を説明する。
本実施形態は上記実施形態と同様に固定用レバー１２の固定操作とは別個に第１のコネクタ３と第２のコネクタ１５の接続を行うタイプであり、第１のコネクタ３と第２のコネクタ１５のいずれも移動させることを特徴としている。
側壁８ｃには着脱方向に延びる長穴８ｈが形成されており、該長穴８ｈとガイド部材３１とによって、第２のコネクタ１５が取り付けられたコネクタブラケット６４が着脱方向に直線的に移動可能となっている。
固定用レバー１２の側壁８ｃ側の係合フック部１２ｄには印刷ドラム７の径方向外方に突出する連結軸６５が固定されており、該連結軸６５は側壁８ｃに形成された上下方向に延びる円弧状の長穴８ｉに係合している。コネクタブラケット６４の垂直部には穴６４ａが形成されており、該穴６４ａには連結軸６５が係合している。かかる構成によって、コネクタブラケット６４は固定用レバー１２の回動に同期して着脱方向に移動可能となっている（請求項９）。また、コネクタブラケット６４の水平部には穴６４ｂが形成されている。
【００４２】
装置本体１の前側板１１０には着脱方向に突出する補助側板６７が固定されており、補助側板６７には第１のコネクタ３が取り付けられたコネクタブラケット７２が上下方向に移動可能に設けられている。補助側板６７には上下方向に延びるガイド溝６７ａが形成されており、該ガイド溝６７ａにコネクタブラケット７２に固定されたガイド部材３１が係合している。かかる構成によりコネクタブラケット７２は上下方向に直線的に移動する。
補助側板６７にはブラケット１１４が固定されており、補助側板６７とブラケット１１４間には支軸６９が回転自在に支持されている。
支軸６９にはリンク７１同期回動可能に設けられており、リンク７１の他端部には印刷ドラム７の径方向内方へ突出するピン７３が固定されている。ピン７３は補助側板６７に形成された上下方向に延びる円弧状の長穴６７ｂに係合しているとともに、コネクタブラケット７２に形成された着脱方向に延びる長穴７２ａに係合している。コネクタブラケット７２の下面には下方へ突出する係合ピン７７が固定されており、該係合ピン７７はコネクタ接続時、コネクタブラケット６４の穴６４ｂに係合する。
【００４３】
リンク７１を回動させる支軸６９は、補助側板６７の内面側に設けられるコネクタレバー７０に固定されており、該コネクタレバー７０の回動に同期してリンク７１が回動する。
補助側板６７には印刷ドラム７の径方向内方へ突出する支軸１１５が固定されており、該支軸１１５にはストッパ部材７９が穴７９ａを介して回動自在に設けられている。ストッパ部材７９は図示しないバネにより時計回り方向に付勢されている。
コネクタレバー７０には、印刷ドラム７の径方向内方へ突出するピン８０が固定されており、ストッパ部材７９にはピン８０が係合する凹部７９ｂが形成されている。
【００４４】
図１７及び図１８は、印刷ドラムユニット５を装置本体１の所定位置に挿入した状態を示しており、かかる状態で固定用レバー１２を回動させる。その後、コネクタレバー７０を回動する。固定用レバー１２を回動させると、図２０及び図２１に示すように、係合フック部１２ｄの凹部１２ｅが係止ピン２に係合し、装置本体１に対する印刷ドラムユニット５の固定がなされる。この動作に同期して第２のコネクタ１５が取り付けられたコネクタブラケット６４が装着方向へ水平移動する。
コネクタレバー７０を回動すると、第１のコネクタ３が取り付けられたコネクタブラケット７２が下方に移動し、第１のコネクタ３と第２のコネクタ１５の接続がなされるとともに、コネクタブラケット６４の穴６４ｂにコネクタブラケット７２の係合ピン７７が係合する。
【００４５】
印刷ドラムユニット５を装置本体１から抜き出す場合には、まず、コネクタレバー７０を上方に回動し、第１のコネクタ３と第２のコネクタ１５を分離した後固定用レバー１２を上方に回動する。
第１のコネクタ３と第２のコネクタ１５を分離しない状態において、固定用レバー１２を回動しようとしても、コネクタブラケット６４の穴６４ｂにコネクタブラケット７２の係合ピン７７が係合しているので、回動操作はできない（請求項１０）。
第１のコネクタ３と第２のコネクタ１５が分離された状態では、コネクタレバー７０のピン８０がストッパ部材７９の凹部７９ｂに係合するので、第１のコネクタ３は定位置に保持される。
【００４６】
上記各実施形態ではユニット固定手段の要部である固定用レバー１２を印刷ドラムユニット５側に設ける構成としたが、装置本体１側に設ける構成としてもよい。
【００４７】
【発明の効果】
請求項１記載の発明によれば、２つのコネクタ同士の着脱方向と、印刷ドラムユニットの着脱方向とが略直交するように設けられ、該第１のコネクタと第２のコネクタのうち少なくとも一方が移動させられて接続がなされる構成としたので、ゴミや異物の侵入・堆積が防止され、接触不良が抑制される。また、別途予防構成を付加することなくオペレータが直接手で触れにくいようにすることができる。
【００４８】
請求項２記載の発明によれば、ユニット固定手段による固定操作に連動して第１のコネクタと第２のコネクタのうち少なくとも一方が移動する構成としたので、操作性を向上させることができる。
【００４９】
請求項３記載の発明によれば、ユニット固定手段が、相手方の係止部に係合する係合フック部を備えた回動自在な固定用レバーを有し、該係合フック部の凹部は、第１のコネクタと第２のコネクタが完全に離間した状態になるまで印刷ドラムユニットの装置本体からの抜き出しを禁止する長さに設定されている構成としたので、印刷ドラムユニットの抜き出し操作におけるコネクタの損傷を防止することができる。
【００５０】
請求項４記載の発明によれば、第１のコネクタと第２のコネクタのうち少なくとも一方が、リンク機構を介してユニット固定手段による固定操作に連動して移動する構成としたので、操作力を軽減することができる。
【００５１】
請求項５記載の発明によれば、第１のコネクタと第２のコネクタが接続状態にあるときはユニット固定手段の固定解除操作ができないようになっている構成としたので、印刷ドラムユニットの抜き出し操作におけるコネクタの損傷を防止することができる。
【００５２】
請求項６記載の発明によれば、ユニット固定手段と、第１のコネクタと第２のコネクタのうち少なくとも一方を移動させるコネクタ接続手段を有している構成としたので、印刷ドラムユニットの着脱操作がジャム処理等のために荒くなってもコネクタの損傷を防止することができる。
【００５３】
請求項７記載の発明によれば、第１のコネクタと第２のコネクタが接続された状態でコネクタ接続手段の動きを制限するストッパが設けられている構成としたので、第１のコネクタと第２のコネクタの接続が不意に外れることを防止することができる。
【００５４】
請求項８記載の発明によれば、第１のコネクタと第２のコネクタを常時分離するように付勢する付勢手段を有している構成としてので、印刷ドラムユニットを抜き出しするときの操作性を向上させることができる。
【００５５】
請求項９記載の発明によれば、ユニット固定手段と、第１のコネクタと第２のコネクタのうちいずれか一方を移動させるコネクタ接続手段を有し、第１のコネクタと第２のコネクタのうちの他方は上記ユニット固定手段による固定操作に連動して該ユニット固定手段の着脱方向に移動可能に設けられている構成としたので、コネクタ位置の自由度を向上させることができる。
【００５６】
請求項１０記載の発明によれば、第１のコネクタと第２のコネクタが接続状態にあるときはユニット固定手段の固定解除操作ができないようになっている構成としたので、コネクタの損傷を防止することができる。
【００５７】
請求項１１記載の発明によれば、第１のコネクタと第２のコネクタが、それぞれの接続面が印刷ドラムユニットの着脱方向に対して略垂直方向で対向するように設けられている構成としたので、コネクタの傾きが少なく局所的摩耗による接触不良が抑制され、且つゴミや異物の侵入・堆積による接触不良が防止される。
また、別途予防構成を付加することなくオペレータが直接手で触れにくいようにすることができる。
【００５８】
請求項１２記載の発明によれば、孔版印刷装置本体に設けられた電気接続用の第１のコネクタに接続される第２のコネクタを有し、第２のコネクタはその接続面が着脱方向に対して略直角方向で上記第１のコネクタの接続面と対向するように設けられ、該第１のコネクタと第２のコネクタのうち少なくとも一方が移動させられて接続がなされる構成としたので、ゴミや異物の侵入・堆積が防止され、接触不良が抑制される。また、別途予防構成を付加することなくオペレータが直接手で触れにくいようにすることができる。
【００５９】
請求項１３記載の発明によれば、第２のコネクタはその接続面が着脱方向に対して略垂直方向で第１のコネクタの接続面と対向するように設けられている構成としたので、コネクタの傾きが少なく局所的摩耗による接触不良が抑制され、且つゴミや異物の侵入・堆積による接触不良が防止される。また、別途予防構成を付加することなくオペレータが直接触れにくいようにすることができる。
【００６０】
請求項１４記載の発明によれば、第１のコネクタと第２のコネクタを、それぞれの接続面が印刷ドラムユニットの着脱方向に対して略直角方向で対向するように設け、該印刷ドラムユニットを孔版印刷装置本体の所定位置に挿入した後、該第１のコネクタと第２のコネクタのうち少なくとも一方を移動させて接続することとしたので、ゴミや異物の侵入・堆積が防止され、接触不良が抑制される。また、別途予防構成を付加することなくオペレータが直接手で触れにくいようにすることができる。
【００６１】
請求項１５記載の発明によれば、第１のコネクタと第２のコネクタを、それぞれの接続面が印刷ドラムユニットの着脱方向に対して略垂直方向で対向するように設けることとしたので、コネクタの傾きが少なく局所的摩耗による接触不良が抑制され、且つゴミや異物の侵入・堆積による接触不良が防止される。また、別途予防構成を付加することなくオペレータが直接触れにくいようにすることができる。
【図面の簡単な説明】
【図１】本発明の一実施形態に係る孔版印刷装置の要部側面図で、固定前の状態を示す図ある。
【図２】同要部正面図である。
【図３】印刷ドラムユニットの斜視図である。
【図４】固定後の要部側面図である。
【図５】同正面図である。
【図６】孔版印刷装置の全体概要図である。
【図７】他の実施形態における孔版印刷装置の要部側面図で、固定前の状態を示す図ある。
【図８】同要部正面図である。
【図９】印刷ドラムユニットの要部分解斜視図である。
【図１０】固定後の要部側面図である。
【図１１】同正面図である。
【図１２】他の実施形態における孔版印刷装置の要部側面図で、固定前の状態を示す図ある。
【図１３】同要部正面図である。
【図１４】印刷ドラムユニットの要部分解斜視図である。
【図１５】固定後の要部側面図である。
【図１６】同正面図である。
【図１７】他の実施形態における孔版印刷装置の要部側面図で、固定前の状態を示す図ある。
【図１８】同要部正面図である。
【図１９】印刷ドラムユニットの要部分解斜視図である。
【図２０】固定後の要部側面図である。
【図２１】同正面図である。
【符号の説明】
７  印刷ドラム
１  装置本体
２  係止部としての係止ピン
３  第１のコネクタ
５  印刷ドラムユニット
１２ａ，１２ｄ  係合フック部
１２ｂ  固定用レバー
１２ｃ，１２ｅ  凹部
１５  第２のコネクタ
２６  リンク
４３  コネクタ接続手段としてのコネクタレバー
【図１】
0004558908.tif 000002
【図２】
0004558908.tif 000003
【図３】
0004558908.tif 000004
【図４】
0004558908.tif 000005
【図５】
0004558908.tif 000006
【図６】
0004558908.tif 000007
【図７】
0004558908.tif 000008
【図８】
0004558908.tif 000009
【図９】
0004558908.tif 000010
【図１０】
0004558908.tif 000011
【図１１】
0004558908.tif 000012
【図１２】
0004558908.tif 000013
【図１３】
0004558908.tif 000014
【図１４】
0004558908.tif 000015
【図１５】
0004558908.tif 000016
【図１６】
0004558908.tif 000017
【図１７】
0004558908.tif 000018
【図１８】
0004558908.tif 000019
【図１９】
0004558908.tif 000020
【図２０】
0004558908.tif 000021
【図２１】
0004558908.tif 000022